(57)【要約】【課題】接続機器からの入力映像信号に応じて、メニューの表示項目および装置自体の設定を切り替えることを可能にした投射型映像表示装置を提供すること。【解決手段】投射型映像表示装置において、第１の映像信号グループ用設定メニューと、 第２の映像信号グループ用設定メニューと、HDMIの信号を解析する入力HDMI信号解析手段と、入力されているHDMI信号が第１の映像信号グループか、第２の映像信号グループか、を判別する信号種類判別手段と、前記第１の信号グループ用設定メニュー、前記第２の信号グループ用設定メニューのどちらか一方を選択する、設定メニュー表示切り替え手段と、前記信号種類判別手段の判別結果に基づき、前記投射型映像表示装置の設定を切り替える設定切り替え手段と、を備えることを特徴とする構成とした。【選択図】  図１
2015171118.tif 000002
【特許請求の範囲】
【請求項１】
映像信号を入力する映像入力手段と、 
入力された映像信号に基づき映像を投射面に投射表示する投射型映像表示装置において、 
第１の映像信号グループに対して設定可能な項目からなる第１の映像信号グループ用設定メニューと、 
第２の映像信号グループに対して設定可能な項目からなる第２の映像信号グループ用設定メニューと、 
前記映像入力手段に入力される信号ソースがHDMIの場合に、HDMIの信号を解析する入力HDMI信号解析手段と、 
前記入力HDMI信号解析手段の解析結果に基づき、入力されているHDMI信号が第１の映像信号グループか、第２の映像信号グループか、を判別する信号種類判別手段と、 
前記信号種類判別手段の判別結果に基づき、前記第１の信号グループ用設定メニュー、前記第２の信号グループ用設定メニューのどちらか一方を選択する、設定メニュー表示切り替え手段と、
前記信号種類判別手段の判別結果に基づき、前記投射型映像表示装置の設定を切り替える設定切り替え手段と、    
を備えることを特徴とする投射型映像表示装置。
【請求項２】
映像信号を入力する映像入力手段と、 
入力された映像信号に基づき映像を投射面に投射表示する投射型映像表示装置において、 
第１の映像信号グループに対して設定可能な項目からなる第１の映像信号グループ用設定メニューと、 
第２の映像信号グループに対して設定可能な項目からなる第２の映像信号グループ用設定メニューと、 
前記映像入力手段に入力される信号ソースがDVIの場合に、DVIの信号を解析する入力DVI信号解析手段と、 
前記入力DVI信号解析手段の解析結果に基づき、入力されているDVI信号が第１の映像信号グループか、第２の映像信号グループか、を判別する信号種類判別手段と、 
前記信号種類判別手段の判別結果に基づき、前記第１の信号グループ用設定メニュー、前記第２の信号グループ用設定メニューのどちらか一方を選択する、設定メニュー表示切り替え手段と、
前記信号種類判別手段の判別結果に基づき、前記投射型映像表示装置の設定を切り替える設定切り替え手段と、    
を備えることを特徴とする投射型映像表示装置。
【請求項３】
映像信号を入力する映像入力手段と、 
入力された映像信号に基づき映像を投射面に投射表示する投射型映像表示装置において、
第１の映像信号グループに対して設定可能な項目からなる第１の映像信号グループ用設定メニューと、 
第２の映像信号グループに対して設定可能な項目からなる第２の映像信号グループ用設定メニューと、 
前記映像入力手段に入力される信号ソースがDisplayPortの場合にDisplayPortの信号を解析するDisplayPort入力信号解析手段と、 
前記入力DisplayPort信号解析手段の解析結果に基づき、入力されているDisplayPort信号が第１の映像信号グループか、第２の映像信号グループか、を判別する信号種類判別手段と、 
前記信号種類判別手段の判別結果に基づき、前記第１の信号グループ用設定メニュー、前記第２の信号グループ用設定メニューのどちらか一方を選択する、設定メニュー表示切り替え手段と、
前記信号種類判別手段の判別結果に基づき、前記投射型映像表示装置の設定を切り替える設定切り替え手段と、    
を備えることを特徴とする投射型映像表示装置。
【請求項４】
映像信号を入力する映像入力手段と、 
入力された映像信号に基づき映像を投射面に投射表示する投射型映像表示装置において、
第１の映像信号グループに対して設定可能な項目からなる第１の映像信号グループ用設定メニューと、 
第２の映像信号グループに対して設定可能な項目からなる第２の映像信号グループ用設定メニューと、 
前記映像入力手段に入力される信号ソースがVGAの場合に、VGAの信号を解析する入力VGA信号解析手段と、 
前記入力VGA信号解析手段の解析結果に基づき、入力されているVGA信号が第１の映像信号グループか、第２の映像信号グループか、を判別する信号種類判別手段と、 
前記信号種類判別手段の判別結果に基づき、前記第１の信号グループ用設定メニュー、前記第２の信号グループ用設定メニューのどちらか一方を選択する、設定メニュー表示切り替え手段と、
前記信号種類判別手段の判別結果に基づき、前記投射型映像表示装置の設定を切り替える設定切り替え手段と、    
を備えることを特徴とする投射型映像表示装置。
【請求項５】
前記信号種類判別手段は、解像度、付加情報、RGB/YUV信号形式、いずれか少なくとも１つを用いて判別することを特徴とする請求項１乃至請求項４の何れか１項に記載の投射型映像表示装置。
【請求項６】
前記設定切り替え手段は、画質モードの設定、オーバースキャン有効/無効、ノイズリダクションの有効／無効、設定されるフィルタ、IP変換の有効／無効のうち、いずれか少なくとも１つを切り替えることを特徴とする請求項１乃至請求項４の何れか１項に記載の投射型映像表示装置。
【発明の詳細な説明】
【技術分野】
【０００１】
本発明は、投射型映像表示装置に関し、特に投射型映像表示装置の設定方法に関するものである。
【背景技術】
【０００２】
従来、ビデオ機器、ＰＣ機器、いずれの入力信号も受け付けられ、投射表示できる投射型映像表示装置が知られている。
【０００３】
特許文献１では入力されているＨＤＭＩ（登録商標）信号の解像度に基づいて、接続機器がビデオ機器かＰＣ機器かを判断する投射型映像表示装置が開示されている。
【先行技術文献】
【特許文献】
【０００４】
【特許文献１】特開２００８−０４８３６９号公報
【発明の概要】
【発明が解決しようとする課題】
【０００５】
しかしながら、上述の特許文献１に開示された従来技術では、接続機器に応じて投射型映像表示装置のメニュー表示項目や設定が切り替わる訳ではなく、設定をユーザーが手動で変更する必要があり、利便性が低下してしまう。
【０００６】
そこで、本発明の目的は、接続機器からの入力映像信号に応じてメニューの表示項目および装置自体の設定を切り替えることを可能にした投射型映像表示装置を提供することである。
【課題を解決するための手段】
【０００７】
上記目的を達成するために、本発明は、
映像信号を入力する映像入力手段と、 
入力された映像信号に基づき映像を投射面に投射表示する投射型映像表示装置において、
第１の映像信号グループに対して設定可能な項目からなる第１の映像信号グループ用設定メニューと、 
第２の映像信号グループに対して設定可能な項目からなる第２の映像信号グループ用設定メニューと、 
前記映像入力手段に入力される信号ソースがHDMIの場合に、HDMIの信号フォーマットを解析する入力HDMI信号解析手段と、 
前記入力HDMI信号解析手段の解析結果に基づき、入力されているHDMI信号が第１の映像信号グループか、第２の映像信号グループか、を判別する信号種類判別手段と、 
前記信号種類判別手段の判別結果に基づき、前記第１の信号グループ用設定メニュー、前記第２の信号グループ用設定メニューのどちらか一方を選択する、設定メニュー表示切り替え手段と、
前記信号種類判別手段の判別結果に基づき、前記投射型映像表示装置の設定を切り替える設定切り替え手段と、
を備えることを特徴とする。
【発明の効果】
【０００８】
本発明によれば、接続機器からの入力映像信号に応じて、メニューの表示項目および装置自体の設定を切り替えることを可能にした投射型映像表示装置を提供することができる。
【図面の簡単な説明】
【０００９】
【図１】実施例１における投射型映像表示装置の構成を示すブロック図である。
【図２】ビデオ機器による出力映像信号形式の例を示した表である。
【図３】ＰＣ機器による出力映像信号形式の例を示した表である。
【図４】実施例1における投射型映像表示装置の動作を示すフローチャート図である。
【発明を実施するための形態】
【００１０】
以下に、本発明の好ましい実施の形態を、添付の図面に基づいて詳細に説明する。図１は、本発明の実施形態にかかわる投射型映像表示装置の構成を示すブロック図である。
【００１１】
［実施例１］
以下、図1を参照して、本発明の第1の実施例による、投射型映像表示装置について説明する。
【００１２】
投射型映像表示装置１００は、映像信号入力端子１０１、映像信号解析回路１０２、映像信号処理回路１０３、レンズを含む映像投射光学系１０４、制御マイコン１０５、ＯＳＤ生成回路１０６、不揮発メモリ１０７、ユーザーの操作を受け付ける操作検知部１０８、測距センサ１０９から構成される。
【００１３】
映像信号入力端子１０１から映像信号が入力される。本実施例ではＨＤＭＩ信号が入力されている場合を例に説明する。
【００１４】
映像信号解析回路１０２は入力された信号の解像度を検出しその結果を、制御マイコン１０５に通知する。
【００１５】
制御マイコン１０５は、検出された結果を元に、投射型映像表示装置１００に入力されている信号が、ＤＶＤプレーヤー等ビデオ機器による信号か、ＰＣ機器による信号か、を判別する。
【００１６】
判別の手段として、例えば、特許文献：特開２００８−０４８３６９号に記載されている従来技術を利用することができる。図２、図３は、ビデオ機器による映像出力信号形式の例、ＰＣ機器による出力映像信号の例をそれぞれ示したものである。
【００１７】
ビデオ機器による映像信号と、ＰＣ機器による映像信号では、形式が異なっており、特許文献ではこの映像信号の形式の違いを元に、接続されている機器を判別する技術が紹介されている。
【００１８】
前述の判別処理による判別結果を基に、制御マイコン１０５は、メニュー表示時の表示項目を決定する。
【００１９】
さらには、判別結果を基に、投射型映像表示装置の設定も接続機器に応じた設定に切り替える。
【００２０】
ユーザーが操作検知部１０８によって、投射型映像表示装置のメニューを表示させた際、
制御マイコン１０５は、前記決定された表示項目をＯＳＤ生成回路１０６に通知する。
【００２１】
ＯＳＤ生成回路１０６は、通知された情報を元に、メニュー画面を生成し、映像に重ねて表示する。
【００２２】
本実施例において、制御マイコン１０５によって決定される表示項目は、画質モードの種類である。
【００２３】
例えば、ビデオ機器による映像の場合はコントラストが重視されるが、ＰＣ機器による映像の場合は明るさが重視されるがなど、接続機器により好適な画質設定は異なる。
【００２４】
ビデオ機器が接続されていると判別された場合には、画質モード選択メニュー画面では、ビデオ機器に対応した画質モードのみ表示させるように制御し、ＰＣ機器が接続されている場合には、ＰＣ機器に対応した画質モードのみ表示させるようにする。
【００２５】
また接続機器が判別された時点で、投射型映像表示装置の画質モードを、接続機器に対応した画質モードに切り替える。
【００２６】
以上の構成により、接続している機器の種類をユーザーが判断する必要が無くなり、接続している機器に最適な画質モードを設定することができる。
【００２７】
［実施例２］
実施例１では、入力信号から判別された接続機器の種類に応じて、画質モードの表示メニューおよび画質モードの設定を切り替える例を示したが、画質モード以外の設定メニューの表示と設定内容も、判別された接続機器に応じて切り替えても良い。
【００２８】
オーバースキャン有効/無効、ノイズリダクションの有効／無効、設定されるフィルタ、IP変換の有効／無効などの項目は、接続機器がビデオ機器かＰＣ機器か判別した時点で設定を切り替えて良い。また、接続機器に対して、設定する必要が無い項目は、表示メニューに表示されないようにしても良い。
【００２９】
以上の処理により、接続している機器の種類をユーザーが判断する必要が無くなり、接続している機器に対する最適な設定を行うことができる。
【００３０】
［実施例３］
実施例１では、入力信号としてＨＤＭＩ信号が入力されている場合に、解像度の検出によって接続されている機器を判別する例を示したが、解像度ではなく、Infoframeのような信号に付加される情報によって判別しても良い。
【００３１】
また、入力信号がＨＤＭI信号以外であっても良い。DVI-D、DisplayPort、VGAによる入力信号に対しても、解像度、入力信号の形式(RGBかYUVか)、付加情報、のいずれか、あるいはこれらの組み合わせを用いて接続機器の種類を判別することができる。
【００３２】
以上、本発明の好ましい実施形態について説明したが、本発明はこれらの実施形態に限定されず、その要旨の範囲内で種々の変形及び変更が可能である。
【符号の説明】
【００３３】
１００  投射型映像表示装置
１０１  映像信号解析回路
１０２  映像処理回路
１０３  映像信号処理回路
１０４  映像投射光学系
１０５  制御マイコン
１０６  ＯＳＤ生成回路
１０７  不揮発メモリ
１０８  操作検知部
１０９  測距センサ
【図１】
2015171118.tif 000003
【図２】
2015171118.tif 000004
【図３】
2015171118.tif 000005
【図４】
2015171118.tif 000006